【手続補正書】
【提出日】平成17年4月15日(2005.4.15)
【手続補正１】
【補正対象書類名】明細書
【補正対象項目名】特許請求の範囲
【補正方法】変更
【補正の内容】
【特許請求の範囲】
【請求項１】
内輪と、外輪と、前記内輪と前記外輪との間に介装された複数のボールと、前記複数のボールを保持して回転輪とともに回転するリテーナとからなり、アキシャル方向に予圧が与えられた状態で使用されるラジアルボールベアリングのリテーナであって、軸方向の一方側に開口するＣ字状に形成されて前記ボールを転動自在に保持するポケットを有し、このポケットの開口側の両端部の内面は、ボールが線接触する円筒内面状もしくは円錐内面状に形成され、ポケットの底面は球面状に形成され、これら内面と底面との間に形成される境界線は、ボールの自転方向に平行であり、ポケットの開口側の両端部の内面のみ、またはこの内面とポケットの底面とによって、前記ボールが保持されていることを特徴とするラジアルボールベアリングのリテーナ。
【請求項２】
前記外輪または前記内輪のいずれか一方が回転方向を一方向に定められている回転輪であり、前記ポケットの底面に、前記ボールの自転によって前記リテーナの外周面または内周面に潤滑油を導く溝が形成されていることを特徴とする請求項１に記載のラジアルボールベアリングのリテーナ。
【請求項３】
前記溝によって導かれた潤滑油を受け、かつ、その潤滑油を前記リテーナの回転方向後方側に隣接するポケットの開口付近に導く潤滑油流路が、溝によって導かれる潤滑油の流動方向に応じて前記外周面または前記内周面に形成されていることを特徴とする請求項２に記載のラジアルボールベアリングのリテーナ。
【手続補正２】
【補正対象書類名】明細書
【補正対象項目名】０００６
【補正方法】変更
【補正の内容】
【０００６】
【課題を解決するための手段】
本発明は、内輪と、外輪と、前記内輪と前記外輪との間に介装された複数のボールと、前記複数のボールを保持して回転輪とともに回転するリテーナとからなり、アキシャル方向に予圧が与えられた状態で使用されるラジアルボールベアリングのリテーナであって、軸方向の一方側に開口するＣ字状に形成されて前記ボールを転動自在に保持するポケットを有し、このポケットの開口側の両端部の内面は、ボールが線接触する円筒内面状もしくは円錐内面状に形成され、ポケットの底面は球面状に形成され、これら内面と底面との間に形成される境界線は、ボールの自転方向に平行であり、ポケットの開口側の両端部の内面のみ、またはこの内面とポケットの底面とによって、前記ボールが保持されていることを特徴としている。
【手続補正３】
【補正対象書類名】明細書
【補正対象項目名】０００７
【補正方法】変更
【補正の内容】
【０００７】
本発明のリテーナによれば、ボールの自転によって外輪と内輪の間を移動する潤滑油は、ボールが線接触するポケットの開口側の端部の内面から剪断を受けにくく、円滑に移動する。すなわち、潤滑油に対する剪断力が低減し、その結果、回転トルクの軽減やベアリングの寿命の向上が図られる。
【手続補正４】
【補正対象書類名】明細書
【補正対象項目名】０００８
【補正方法】変更
【補正の内容】
【０００８】
本発明のリテーナは、ベアリングに装着された状態で、ポケットの開口が軸方向の一方側に開口するが、その開口方向（装着方向に相当する）は、回転輪に対する予圧方向か、反予圧方向かのいずれかである。すなわちリテーナは、ポケットの開口を予圧方向に向けるか、あるいは予圧と反対方向に向けて装着される。ちなみに、図１０で示したベアリングでは、内輪が予圧を受け、ポケットの開口方向が内輪の予圧方向に向いている。予圧方向によってボールの自転軸は２通りとなり、このボールの自転軸とポケットの開口方向との組み合わせに応じて、本発明のポケットの開口側の端部の内面は、ボールが線接触するように円筒内面状もしくは円錐内面状に形成される。言い換えると、回転輪に対する予圧方向とポケットの開口方向との相関により、この内面の形成位置ならびに湾曲方向は限定される。
【手続補正５】
【補正対象書類名】明細書
【補正対象項目名】００１６
【補正方法】変更
【補正の内容】
【００１６】
さて、上記リテーナ４０のポケット４１における開口側の両端部の内面には、図２〜図４に示すように、開口側内面４４が形成されている。これら開口側内面４４は、上記のように外輪１０に予圧が与えられて接触角αが生じた状態でのボール３０の自転方向に沿って湾曲しており、球面状の三次曲面をなすポケット４１の内面とは異なって円錐内面状の三次曲面に形成されている。これら開口側内面４４は所定の幅を有し、自転するボール３０は、図５に示すように、２つの開口側内面４４に線接触し、さらにポケット４１の球面状の底面に接触する。ボール３０はこのようにポケット４１の底面と２つの開口側内面４４によって３点支持された状態で自転する。開口側内面４４は、上記のようにボール３０の自転方向に沿って湾曲していることから、リテーナ４０の肉厚方向に対して傾斜しており、球面状のポケット４１の内面との境界を形成する傾斜した稜線（境界線）は、図２に示した外輪１０および内輪２０に対する接触点ＡＢを結ぶ線と平行である。
【手続補正６】
【補正対象書類名】明細書
【補正対象項目名】００１９
【補正方法】変更
【補正の内容】
【００１９】
上記第１実施形態のリテーナ４０によれば、ボール３０の自転によって外輪１０と内輪２０の間を移動する潤滑油は、ボール３０が線接触する上記開口側内面４４がボール３０の自転方向に沿って湾曲しているため、この開口側内面４４から剪断を受けにくく円滑に移動する。すなわち、潤滑油に対する剪断力が低減し、その結果、回転トルクの軽減やベアリングの寿命の向上が図られる。
【手続補正７】
【補正対象書類名】明細書
【補正対象項目名】００２１
【補正方法】変更
【補正の内容】
【００２１】
上記第１実施形態のリテーナ４０は、図２に示したように、外輪１０がＸ１方向に予圧されたベアリングに対して開口を反予圧方向に向けて装着されるタイプのものであり、予圧方向の違いに伴うボール３０の自転軸の違いや、開口をどちらに向けるかに応じて、開口側内面４４の形成位置や方向は異なってくる。
【手続補正８】
【補正対象書類名】明細書
【補正対象項目名】００２６
【補正方法】変更
【補正の内容】
【００２６】
【発明の効果】
以上説明したように、本発明のリテーナによれば、ボールを転動自在に保持するポケットの開口側の両端部の内面が、ボールが線接触する円筒内面状もしくは円錐内面状に形成され、ポケットの底面は球面状に形成され、これら内面と底面との間に形成される境界線がボールの自転方向に平行であり、ポケットの開口側の端部の内面のみ、または内面と底面とによって、ボールが保持されるので、ボールの自転によって外輪と内輪の間を移動する潤滑油の剪断が抑えられ、その結果、ベアリングの回転トルクの軽減ならびに寿命の向上が図られるといった効果を奏する。
【手続補正９】
【補正対象書類名】明細書
【補正対象項目名】図面の簡単な説明
【補正方法】変更
【補正の内容】
【図面の簡単な説明】
【図１】  本発明の第１実施形態のリテーナが適用されたラジアルボールベアリングの断面図である。
【図２】  図１の要部拡大図である。
【図３】  第１実施形態のリテーナの斜視図である。
【図４】  第１実施形態のリテーナのポケット内面を示す斜視図である。
【図５】  第１実施形態のリテーナのポケットにボールが保持された状態を示す断面図である。
【図６】  第１実施形態のリテーナの側面図である。
【図７】  第２実施形態のリテーナの側面図である。
【図８】  第３実施形態のリテーナの側面図である。
【図９】  第４実施形態のリテーナの側面図である。
【図１０】  一般的なラジアルボールベアリングの作動状態を示す断面図である。
【符号の説明】
１０…外輪、２０…内輪、３０…ボール、４０…リテーナ、４１…ポケット、
４４…開口側内面、４５ａ…フィンの斜面（潤滑油流路）、４６…溝、α…接触角。